(57)【特許請求の範囲】
【請求項１】
左右に離間する脚柱に、左右一対の前後方向を向くブラケットの後端が各々支持され、この両ブラケット上に、左右方向を向く電磁遮蔽材からなる複数の棚板の両側が載置されている商品陳列棚において、棚板上に物品情報を有するＲＦＩＤタグが取り付けられた物品のＲＦＩＤタグの情報を読み出す読出装置を、該読出装置の面が後方を向き、かつ前記棚板の上面より上方に読出装置からの電磁波が棚板から影響を受けないように受信可能に所定間隔離間するように、前記棚板の前端縁に沿った所定位置に立設した非電磁遮蔽材である支持板に設けたことを特徴とする物品情報の読出装置を備える商品陳列棚。
【請求項２】
前記読出装置の面を後方かつやや上向きとした請求項１に記載の物品情報の読出装置を備える商品陳列棚。
【請求項３】
前記支持板の下部を、前記棚板の前端縁に設けられた係合部に係合した請求項１または２に記載の物品情報の読出装置を備える商品陳列棚。
【請求項４】
前記係合部を前記棚板に形成した取付孔とし、前記支持板の下部に形成されたピンを前記取付孔に挿入して、前記支持板を取り付けた請求項３に記載の物品情報の読出装置を備える商品陳列棚。
【請求項５】
前記支持板は、前記支持板の下部である固定部と、後方かつやや上向きに形成された取付部と、から成り、該取付部に前記読出装置を備えた請求項１乃至４に記載の物品情報の読出装置を備える商品陳列棚。
【請求項６】
前記取付部が前記固定部に傾動可能に連結されている請求項５に記載の物品情報の読出装置を備える商品陳列棚。
【請求項７】
前記棚板の後端部の隅部に、前記読出装置から延設される配線を出す配線溝を設けた請求項１乃至６のいずれかに記載の物品情報の読出装置を備える商品陳列棚。
【発明の詳細な説明】
【技術分野】
【０００１】
本発明は、物品情報が記録されたＲＦＩＤタグの情報を読み出すための読出装置を備える商品陳列棚に関する。
【背景技術】
【０００２】
近年、什器に収納された物品の収納状態を管理するために、各物品に物品情報が記録されたＲＦＩＤタグを取り付け、ＲＦＩＤタグの情報を読出装置で読み出し、この読み出した情報に基づいて各物品の収納状態を管理するものが種々に開発されている。
【０００３】
この一例として、什器内に収納される物品のＲＦＩＤタグに記録される物品情報を什器の棚板に配設した読出装置によって読み出し、この読み出した物品情報に基づいて物品の管理を行うことを可能にした什器がある（特許文献１参照。）。
【０００４】
【特許文献１】特開平７−１８２３５７号公報（段落００１１−００２２、第１−３図）
【発明の開示】
【発明が解決しようとする課題】
【０００５】
しかしながら、特許文献１にあっては、上記文献１のように、什器側で物品情報を読み出すものにおいて、例えば、什器の一部が金属等の電磁遮蔽材（ＥＭＳ材）で構成されている場合には、読出装置の磁気アンテナから発生される電磁波の磁界の向きに対して、電磁遮蔽材からは磁界が逆向きに発生されることで、読出装置からの電磁波が電磁遮蔽材によって影響されてしまうためにＲＦＩＤタグに起電力が発生しにくくなり、ＲＦＩＤタグに記録される物品情報を含む電磁波の読み取りに不具合を生じさせる恐れがあった。
【０００６】
本発明は、このような問題点に着目してなされたもので、読出装置からの電磁波が電磁遮蔽材によって影響されることなく、物品のＲＦＩＤタグに記録された物品情報を正確に読み出し可能な商品陳列棚を提供することを目的とする。
【課題を解決するための手段】
【０００７】
上記課題を解決するために、本発明の請求項１に記載の物品情報の読出装置を備える商品陳列棚は、左右に離間する脚柱に、左右一対の前後方向を向くブラケットの後端が各々支持され、この両ブラケット上に、左右方向を向く電磁遮蔽材からなる複数の棚板の両側が載置されている商品陳列棚において、棚板上に物品情報を有するＲＦＩＤタグが取り付けられた物品のＲＦＩＤタグの情報を読み出す読出装置を、該読出装置の面が後方を向き、かつ前記棚板の上面より上方に読出装置からの電磁波が棚板から影響を受けないように受信可能に所定間隔離間するように、前記棚板の前端縁に沿った所定位置に立設した非電磁遮蔽材である支持板に設けたことを徴としている。
この特徴によれば、読出装置の面を後方を向き、かつ棚板の前端縁に沿って設けたことにより、読出装置より後方側に位置する棚板上に載置される物品のＲＦＩＤタグに記録された物品情報を読み出すことができるとともに、読出装置を電磁遮蔽材で構成された棚板の上面から該読出装置からの電磁波が棚板から影響を受けないように所定間隔離間させることで、電磁遮蔽材によって読出装置からの電磁波が影響されることなく確実に読み出しが行われる。また隣り合う読出装置同士の電磁波がこれら電磁遮蔽材によって互いに干渉することが防止される。
【０００８】
本発明の請求項２に記載の物品情報の読出装置を備える商品陳列棚は、請求項１に記載の物品情報の読出装置を備える商品陳列棚であって、前記読出装置の面を後方かつやや上向きとしたことを特徴としている。
この特徴によれば、前記読出装置の面を後方かつやや上向きとしたことで、棚板上に載置される物品のＲＦＩＤタグの情報を棚板前端から後方にかけて広範囲に渡って読み出すことができる。
【００１０】
本発明の請求項３に記載の物品情報の読出装置を備える商品陳列棚は、請求項１または２に記載の物品情報の読出装置を備える商品陳列棚であって、前記支持板の下部を、前記棚板の前端縁に設けられた係合部に係合したことを特徴としている。
この特徴によれば、支持板の下部を棚板の前端縁に設けられた係合部に係合させることにより、棚板に簡単かつ強固に支持板を取り付けることができる。
【００１１】
本発明の請求項４に記載の物品情報の読出装置を備える商品陳列棚は、請求項３に記載の物品情報の読出装置を備える商品陳列棚であって、前記係合部を前記棚板に形成した取付孔とし、前記支持板の下部に形成されたピンを前記取付孔に挿入して、前記支持板を取り付けたことを特徴としている。
この特徴によれば、支持板のピンを取付孔に挿し込むだけで、容易に支持板を棚板に取り付けることができ、読出装置のメンテナンス等を行う際には容易に取り外せる。
【００１２】
本発明の請求項５に記載の物品情報の読出装置を備える商品陳列棚は、請求項１乃至４に記載の物品情報の読出装置を備える商品陳列棚であって、前記支持板は、前記支持板の下部である固定部と、後方かつやや上向きに形成された取付部と、から成り、該取付部に前記読出装置を備えたことを特徴としている。
この特徴によれば、支持板の取付部に読出装置を取り付けるだけで、常に読出装置の面を後方に向けてやや上向きの状態で設置でき、読出装置の角度調整の手間が省ける。
【００１３】
本発明の請求項６に記載の物品情報の読出装置を備える商品陳列棚は、請求項５に記載の物品情報の読出装置を備える商品陳列棚であって、前記取付部が前記固定部に傾動可能に連結されていることを特徴としている。
この特徴によれば、取付部を前方または後方に傾動させるだけで棚板に設置された物品のＲＦＩＤタグの情報の読み出しに最適な読出装置の傾斜角度の調整を行える。
【００１４】
本発明の請求項７に記載の物品情報の読出装置を備える商品陳列棚は、請求項１乃至６のいずれかに記載の物品情報の読出装置を備える商品陳列棚であって、前記棚板の後端部の隅部に、前記読出装置から延設される配線を出す配線溝を設けたことを特徴としている。
この特徴によれば、読出装置に接続される通信ケーブルが棚板の後端部の隅部に形成された配線溝に通され、脚柱に沿うように配線処理が行われるので、通信ケーブルを物品の収納部内にはみ出させることを防止でき、商品陳列棚の正面からの見栄えを損なわせることがない。特に棚板を上下方向に移動させ設置した場合であっても効果的に通信ケーブルの隠蔽を行うことができる。
【発明を実施するための最良の形態】
【００１５】
本発明の実施例を以下に説明する。
【実施例１】
【００１６】
図１は、本発明の実施例１における物品情報の読出装置を備える商品陳列棚の全体像を示す斜視図であり、図２は、読出装置を備えた棚板を示す斜視図であり、図３は、図２のＣ−Ｃ線を示す側断面図であり、図４は、図１のＡ−Ａ線を示す側断面図であり、図５は、図１のＢ−Ｂ線を示す平面断面図である。この商品陳列棚は、スーパーやコンビニエンス・ストアー等の商品売り場に設置されており、商品陳列棚に複数の商品を数多く載置して、消費者が直に商品（以下、物品１９）の取り出しを行えるようになっている。
【００１７】
本発明の実施例１を図面に基づいて説明すると、商品陳列棚１は図１に示されるように、床面に電磁遮蔽材（本実施例では金属スチール材）から構成された棚板が設けられた載置台５が設けられ、載置台５の後方に床面から上下方向に延びる電磁遮蔽材から構成された脚柱２が左右に一対にて所定間隔離間されて設けられている。
【００１８】
両脚柱２の上端部には横架材８が挟持されるように設けられ、これら左右の脚柱２、載置台５、横架材８によって枠体が構成されている。この枠体の脚柱２間に電磁遮蔽材（本実施例では金属スチール材）から構成された背面板６と、同じく電磁遮蔽材から構成された背面カバー（図示略）が前後に嵌合して取り付けられている。
【００１９】
脚柱２には係合穴２ａが上下方向に複数形成され、脚柱２の下方には後述するＬＡＮケーブル２１を外部に配線するための配線孔２ｂが形成される。背面板６の所定の高さ位置には、上下方向に電磁遮蔽材から構成された棚板３が複数段設けられている。この棚板３は、脚柱２の係合穴２ａに予め取り付けられたブラケット４の上端に載置され係止されている。以下、本実施例では商品陳列棚１の正面側を前方とし、商品陳列棚１の背面側を後方として説明する。
【００２０】
棚板３の前端には、物品１９の値札等が表示されるプライスカード（図示略）を取り付け可能なプライスレール１５（本実施例では電磁遮蔽材からなる金属スチール材）が設けられ、プライスレール１５の背面には上方に向かって延設するように支持板１２（本実施例では硬質プラスチック）が設けられている。同様に載置台５の前端にもプライスレール１５’と支持板１２’が設けられている。
【００２１】
各棚板３及び載置台５の上面には、後述において説明するＲＦＩＤ（Ｒａｄｉｏ  Ｆｒｅｑｕｅｎｃｙ  ＩＤｅｎｔｉｆｉｃａｔｉｏｎ、無線による識別）タグが取り付けられた物品１９が複数載置されている。この支持板１２、１２’の背面側には、後述において詳述する読出装置であるＲＦＩＤアンテナ９、９’が各支持板１２、１２’毎に対応して設けられている。載置台５の内部には、集線装置やチューナ等の機能を備えた中継装置１６と、ＲＦＩＤアンテナ９と中継装置１６に電力を給電するための電源アダプタ１７と、が設けられている。
【００２２】
各ＲＦＩＤアンテナ９、９’には、各種信号の送受信を行う信号ケーブル（図示略）と、電力を供給する給電ケーブル（図示略）と、を含む通信ケーブル１８が各々接続されており、信号ケーブルは中継装置１６内の集線装置に接続され、給電ケーブルは電源アダプタ１７に接続され商品陳列棚１内に配設されている。
【００２３】
中継装置１６はＬＡＮケーブル２１を介して、ＬＡＮ網に接続され物品管理システムの管理や運用を行う管理コンピュータ２０に接続されている。中継装置１６内にはデータ変換機能を備えたチューナによって、管理コンピュータ２０とＲＦＩＤアンテナ９間で種々のデータの送受信が行えるようになっている。
【００２４】
つまり、物品１９のＲＦＩＤタグの物品情報のデータが管理コンピュータ２０に送信されることで、管理コンピュータ３で複数の棚板３および載置台５に載置される複数の物品１９の物品情報の管理が一元的に行えるようになっている。
【００２５】
なお、本実施例のＲＦＩＤアンテナ９、９’と、物品情報が記録されたＲＦＩＤタグには、それぞれ環状のコイル型のアンテナ（図示略）を用いており、ＲＦＩＤアンテナ９、９’と、ＲＦＩＤタグのコイル間に誘導されて発生する磁束を利用した電磁誘導方式により交信を行うようになってる。
【００２６】
そして、本実施例のＲＦＩＤアンテナ９、９’の読み出し周波数は、電磁誘導方式の短波帯（１３．５６ＭＨｚ）の周波数を用いているが、本発明はこれら電磁誘導方式や周波数に限定されるものではなく、例えば、電磁誘導方式の長波帯（〜１３５ｋＨｚ）や、マイクロ波帯の電波を利用した電波方式のマイクロ波帯（２．４５ＧＨｚ）等を利用したものがあり、商品陳列棚や棚板に載置される商品の形状や特性、交信距離にあわせて、より理想的な環境下に適合した最適な方式と周波数のＲＦＩＤアンテナと、該ＲＦＩＤアンテナと交信可能なＲＦＩＤタグを適宜利用するようにすれば良い。
【００２７】
次いで、商品陳列棚１の内部構造を中心に説明する。図４に示されるように、ブラケット４の後端には下向き鈎状の係合片４ａが複数形成され、係合穴２ａに係合固定され脚柱２に取り付けられている。ブラケット４の上端には係止溝４ｂが複数形成され、それと対向するように棚板３の底面には補強材３ｃが前後に離間され設けられており、ブラケット４に棚板３が載置されると係止溝４ｂに補強材３ｃが係止され位置固定されるようになっている。同様にして、ブラケット４が多段（本実施例では４段）に設けられ、これらブラケット４に棚板３が載置され位置固定されている。
【００２８】
各棚板３および載置台５の前端に設けられた支持板１２、１２’の後面側には、それぞれＲＦＩＤアンテナ９、９’が設けられ、各ＲＦＩＤアンテナ９に接続された各々の通信ケーブル１８は、棚板３および載置台５の下面を介して後方から下方に向けて配線され、載置台５の棚板後方に形成したケーブル孔５ａを介して中継装置１６と電源アダプタ１７に接続され、中継装置１６からＬＡＮケーブル２１が配線され、脚柱２に形成した配線孔２ｂを介して外部に配設されている。また、電磁遮蔽材からなる背面板６と、略同一形状の背面カバー７が両脚柱２間に嵌合され取り付けられることで、通信ケーブル１８の配線が後方から外部に露出することなく隠蔽されている。
【００２９】
このように、各棚板３および載置台５毎に対応するように設けられたＲＦＩＤアンテナ９、９’から、それぞれ対応する各棚板３および載置台５毎に載置された物品１９のＲＦＩＤタグ１１の物品情報の読み出しを行えるようになっている。
【００３０】
棚板３の構造について具体的に説明する。図２に示されるように棚板３は、電磁遮蔽材（本実施例では金属スチール材）から構成された棚板本体３ｅおよび前後の補強材３ｃ、非電磁遮蔽材から構成された支持板１２（本実施例では硬質プラスチック材）とからなり、支持板１２の後面側に読出装置であるＲＦＩＤアンテナ９が備えられている。
【００３１】
棚板本体３ｅは前端部３ａおよび後端部３ｂが下方に折り曲げられており、後端部３ｂの隅部に配線溝３ｂ’が形成され、通信ケーブル１８を上下に配線できるようになっている。補強材３ｃは断面上向きコ字状で左右の長さ方向に形成され、棚板本体３ｅの下面の前後に離間してそれぞれ溶接によって固着されて棚板本体３ｅの強度が高められている。
【００３２】
図３に示されるように、棚板本体３ｅの前端部３ａには前方に開口するプライスレール１５がボルト２６とナット２７の締め付けによって取り付けられ、プライスレール１５の開口の上下端部に挟持されるようにプライスカード２２が嵌め込まれている。プライスレール１５の上部には断面凹状の係合部１５ａが形成され、この係合部１５ａと棚板３の前端縁に沿って支持板１２の固定部１２ａが挿し込まれ立設されている。
【００３３】
このように、支持板１２の固定部１２ａを棚板３の前端縁とプライスレール１５の係合部１５ａに係合させることで、支持板１２が棚板３の前端部３ａに簡単かつ強固に取り付けられている。なお、読出装置９が取り付けられた支持板１２は物品１９の落下を防止するストッパーおよびプライスカードの取り付け機能を兼ねている。
【００３４】
次いで、ＲＦＩＤアンテナ９の支持板１２への取付位置について詳細に説明する。支持板１２の上部は後方に向けてやや上方に向く取付部１２ｂが形成され、後面側にＲＦＩＤアンテナ９が接着剤等で強固に固着されており、電磁遮蔽材である棚板本体３ｅの上端面から上方に向かって所定間隔（Ｌ１）離間された位置に取り付けられている。
【００３５】
このように、ＲＦＩＤアンテナ９を支持板１２の取付部１２ｂの後面側にＲＦＩＤアンテナ９を取り付けると、常にＲＦＩＤアンテナ９の面を後方かつやや上向きの状態で設置でき、ＲＦＩＤアンテナ９の角度調整の手間が省け、棚板３上に載置される物品のＲＦＩＤタグ１１の情報をより広範囲に渡って受信させることが可能となる。さらに、ＲＦＩＤアンテナ９を棚板３の前端縁に立設させることで、棚板３の前端から後方へとより広範囲に渡ってＲＦＩＤアンテナ９と物品１９のＲＦＩＤタグ１１との電磁波の送受信を行えるようになっている（図４参照）。
【００３６】
ＲＦＩＤアンテナ９に接続された通信ケーブル１８は、棚板本体３ｅの下面から棚板本体３ｅの側端部に沿って配線され、配線溝３ｂ’（図示略）を介して後端部３ｂ後方から下方へと配設されている。なお、図示しないがＲＦＩＤアンテナ９の後面側には、非電磁遮蔽材である硬質アクリル板が薄膜状に表面加工されており、例えば物品１９の収納時に、ＲＦＩＤアンテナ９に傷や故障等が発生することを未然に防ぐアンテナ保護被膜としての機能を有している。
【００３７】
前述のＲＦＩＤアンテナ９と電磁遮蔽材である棚板本体３ｅとの間隔（Ｌ１）については、ＲＦＩＤアンテナ９からの電磁波を棚板本体３ｅから影響されることなくＲＦＩＤタグ（図示略）に受信させ、ＲＦＩＤタグからの電磁波を棚板本体３ｅから影響されることなくＲＦＩＤアンテナ９に受信させるために、少なくともＲＦＩＤアンテナ９と棚板本体３ｅとの間隔を４０ｍｍ以上離間させることが好ましいことが実験的に検証されている。
【００３８】
そこで、本実施例においては前述において説明した図４に示されるように、商品陳列棚１に適用されたＲＦＩＤアンテナ９と棚板本体３ｅとの間隔（Ｌ１）が４０ｍｍとなっている。同じく物品に設けられるＲＦＩＤタグ１１の取り付け位置も棚板本体３ｅから４０ｍｍ以上離間させることが好ましい。
【００３９】
載置台５の前端部には、プライスレール１５’がボルトで位置固定され、プライスレール１５’上部の後端面に沿って断面Ｌ字の支持板１２’が載置されており、ボルトで支持板１２’の固定部１２ａ’が固定されている。支持板１２’の取付部１２ｂ’は後方に向けてやや上方に向くように形成され、取付部１２ｂ’の後面側に前述したＲＦＩＤアンテナ９の取付位置と同様に所定間隔（Ｌ１）離間された位置でＲＦＩＤアンテナ９’が取り付けられている。
【００４０】
このように、非電磁遮蔽材である支持板１２、１２’によって読出装置であるＲＦＩＤアンテナ９、９’を常に電磁遮蔽材である棚板３および載置台５の上面から所定間隔（Ｌ１）離間させ、各棚板３および載置台５の前端縁に沿って立設させたことにより、ＲＦＩＤアンテナ９、９’からの電磁波を電磁遮蔽材に影響されることなく、物品１９のＲＦＩＤタグ１１に受信させ、ＲＦＩＤタグ１１からの電磁波をＲＦＩＤアンテナ９、９’で受信させることができ、ＲＦＩＤタグ１１に記録された物品情報を確実に読み出させることができる。
【００４１】
しかも、各棚板３および載置台５は電磁遮蔽材で構成されているので、隣り合うＲＦＩＤアンテナ９同士の電磁波がこれら電磁遮蔽材によって互いに干渉することが防止され、物品のＲＦＩＤタグ１１の情報を各棚板３および載置台５毎に読み出しを正確に行える。
【００４２】
図５に示されるように、ＲＦＩＤアンテナ９、９’は棚板３および載置台５の前端縁に取り付けられた支持板１２、１２’の所定の取付位置に設けられ、棚板３および載置台５の上面には物品１９が複数載置されており、これら物品１９の前後面にはＲＦＩＤタグ１１がそれぞれ取り付けられている。なお、ＲＦＩＤタグ１１の取付位置はＲＦＩＤアンテナ９、９’との電磁波の送受信を行いやすいように互いの面が平行になるように設けられているが、本実施例はこの取付位置に限定するものではなく、例えば物品１９の上面にも設けてよいことは言うまでもない。
【００４３】
ＲＦＩＤアンテナ９に接続された通信ケーブル１８は、棚板３の後端部３ｂの隅部に形成された配線溝３ｂ’に通され、脚柱２に沿うように配線処理が行われるので、通信ケーブル１８を物品１９の収納部内にはみ出させることを防止でき、商品陳列棚１の正面からの見栄えを損なわせることがない。特に棚板３を上下方向に移動させ設置した場合であっても効果的に通信ケーブル１８の隠蔽を行うことができる。
【００４４】
以上の説明により実施例１では、読出装置であるＲＦＩＤアンテナ９、９’を電磁遮蔽材である上方の棚板３および載置台５から所定間隔（Ｌ１）以上離間するように設けることで、ＲＦＩＤアンテナ９、９’の電磁波がこれら電磁遮蔽材による影響をされることなく、物品１９のＲＦＩＤタグ１１に記録された物品情報を正確に読み出させることができる。
【実施例２】
【００４５】
次に、本発明の実施例２を図６に基づいて説明する。図６は、読出装置の要部拡大側断面図である。なお、以下の実施例２において前述の実施例１と同様の構造部分に関しては、同一の符号を付すことにより詳細な説明は省略することにする。
【００４６】
図６に示されるように支持板１３は、プライスレール１５の係合部１５ａに係合される固定部１３ａと、ＲＦＩＤアンテナ９が取り付けられた取付部１３ｂから構成され、固定部１３ａの上端部に取付部１３ｂの下端部が傾動可能に連結されている。
【００４７】
そこで、取付部１３ｂの傾斜角度の調整を行いたい場合には、取付部１３ｂを前方または後方に移動させることで傾動させ、ＲＦＩＤアンテナ９の傾斜角度を調整しながら所望の角度に設定できるようになっている。
【００４８】
以上の説明により実施例２では、ＲＦＩＤアンテナ９の取付部１３ｂを回動させるだけで棚板３に設置された物品のＲＦＩＤタグ（図示略）の情報の読み出しに最適な傾斜角度の調整を適宜設定可能になっている。
【実施例３】
【００４９】
次に、本発明の実施例３を図７に基づいて説明する。図７は、読出装置の要部拡大側断面図である。なお、以下の実施例３において前述の実施例１と同様の構造部分に関しては、同一の符号を付すことにより詳細な説明は省略することにする。
【００５０】
図７に示されるように、支持板１４は、下部に形成されたピン１４ａとＲＦＩＤアンテナ９を備えた取付部１４ｂとから構成されている。棚板３の上面の前端部には上下に貫通して取付孔３ｆが形成されており、この取付孔３ｆにピン１４ａを挿し込むことで支持板１４が取り付けられている。したがって、支持板１４を容易に棚板３に取り付けることができるとともに、読出装置９のメンテナンス等を行う際には容易に取り外すことができる。
【００５１】
以上、本発明の実施例１〜３を図面により説明してきたが、具体的な構成はこれら実施例に限られるものではなく、本発明の要旨を逸脱しない範囲における変更や追加があっても本発明に含まれ、例えば上記実施例では、支持板１２を用いて読出装置であるＲＦＩＤアンテナ９を取り付けることで、電磁遮蔽材である棚板３から所定間隔（Ｌ１）離間させることから好ましいが、本発明はこれに限定されるものではなく、ＲＦＩＤアンテナ９を棚板３の上面よりも所定間隔以上離間させ、電磁遮蔽材による影響を受けない状態であれば、他の構成を用いてＲＦＩＤアンテナ９を取り付けるようにしても良い。
【００５２】
また、上記実施例では、支持板１２の取付部１２ｂの後面側にＲＦＩＤアンテナ９を設けることで、ＲＦＩＤアンテナ９を外部に露出させることなく保護されることから好ましいが、本発明はこれに限定されるものではなく、取付部１２ｂ内にＲＦＩＤアンテナ９に埋設させ設置しても良く、電磁遮蔽材である棚板３の上面よりも所定間隔以上離間させ、電磁遮蔽材による影響を受けない状態であれば、商品陳列棚１の利用形態に合わせてＲＦＩＤアンテナ９の設置状態を決めるようにしても良い。
【００５３】
また、上記実施例では、ＲＦＩＤタグ１１が物品１９に貼付され取り付けられているが、本発明はこれに限定されるものではなく、例えば物品１９内にＲＦＩＤタグ１１を埋め込んで取り付けたり、物品１９内部にそのまま内挿した状態でも良く、物品の商品特性を生かした取り付け方法で適宜ＲＦＩＤタグを取り付ければ良い。
【００５４】
また、上記実施例では、管理コンピュータ２０を外部に設けた構成（図１参照）にすることで、他の複数の商品陳列棚（図示略）を一元的に管理可能にしているが、本発明はこれに限定されるものではなく、例えば、中継装置１６が収納される載置台５内に管理コンピュータ２０を内蔵するようにしても良く、商品陳列棚毎に物品の管理を行うようにしても良い。
【図面の簡単な説明】
【００５５】
【図１】本発明の実施例１における物品情報の読出装置を備える商品陳列棚の全体像を示す斜視図である。
【図２】読出装置を備えた棚板を示す斜視図である。
【図３】図２のＣ−Ｃ線を示す側断面図である。
【図４】図１のＡ−Ａ線を示す側断面図である。
【図５】図１のＢ−Ｂ線を示す平面断面図である。
【図６】本発明の実施例２における読出装置の要部拡大側断面図である。
【図７】本発明の実施例３における読出装置の要部拡大側断面図である。
【符号の説明】
【００５６】
１                    商品陳列棚
２                    脚柱
２ａ                  係合穴
２ｂ                  配線孔
３                    棚板（電磁遮蔽材）
３ａ                  前端部
３ｂ                  後端部
３ｂ’                配線溝
３ｃ                  補強材
３ｅ                  棚板本体
３ｆ                  取付孔
４                    ブラケット
４ａ                  係合片
４ｂ                  係止溝
５                    載置台（電磁遮蔽材）
５ａ                  ケーブル孔
６                    背面板
７                    背面カバー
８                    横架材
９、９’              ＲＦＩＤアンテナ（読出装置）
１１                  ＲＦＩＤタグ
１２、１２’          支持板（非電磁遮蔽材）
１２ａ、１２ａ’      固定部
１２ｂ、１２ｂ’      取付部
１３                  支持板（非電磁遮蔽材）
１３ａ                固定部
１３ｂ                取付部
１４                  支持板（非電磁遮蔽材）
１４ａ                ピン
１４ｂ                取付部
１５、１５’          プライスレール
１５ａ                係合部
２２                  プライスカード
【図１】
0004666453.tif 000002
【図２】
0004666453.tif 000003
【図３】
0004666453.tif 000004
【図４】
0004666453.tif 000005
【図５】
0004666453.tif 000006
【図６】
0004666453.tif 000007
【図７】
0004666453.tif 000008